(57)【特許請求の範囲】
【請求項１】
測定波形を表示する表示画面の表示波形の時間軸に沿った任意の位置に、時間軸上の位置を指示するラインと表示波形に関連した文字列とを組み合わせマークとして一体化して表示するように構成された波形表示装置において、
前記マークの新規作成時または修正時に選択的に表示され、前記ラインに対する文字列の位置を選択設定するダイアログを設け、
このダイアログには、
このダイアログによる設定を有効にする表示波形のグループを選択する手段と、
前記マークの文字列を入力する入力部と、
前記ラインに対する前記マークの文字列の位置として、左・中央・右および隣接する文字列の間隔に応じて左・中央・右を自動的に選択する自動のいずれかを選択する手段と、
これらダイアログの設定を前記表示画面の表示に反映させるように指示する手段、
を設けたことを特徴とする波形表示装置。
【請求項２】
前記ダイアログで自動を選択することにより、表示画面の時間軸の倍率変更に連動して文字列の位置を自動調整することを特徴とする請求項１記載の波形表示装置。
【請求項３】
重なった文字列から所望の文字列を選択する手段と、選択した文字列の重なりの上下位置を指定する手段を設けたことを特徴とする請求項１または請求項２に記載の波形表示装置。
【発明の詳細な説明】
【０００１】
【発明の属する技術分野】
本発明は波形表示装置に関し、詳しくは、測定波形を表示する表示画面の表示波形の時間軸に沿った任意の位置に、時間軸上の位置を指示するラインと表示波形に関連した文字列とを組み合わせ一体化して表示するように構成された波形表示装置における文字列の表示制御に関するものである。
【０００２】
【従来の技術】
出願人は、測定波形を表示する表示画面の表示波形の時間軸に沿った任意の位置に、時間軸上の位置を指示するラインと表示波形に関連した文字列とを組み合わせ、マークとして一体化して表示するように構成された波形表示装置を、特願平８−３３９４６９号（特開平１０−１７７０４１号）により「波形表示装置」として出願している。
【０００３】
図５は、このような従来の波形表示装置の表示画面例図である。
図において、表示波形の任意の位置にマウスカーソル１を移動させてマウスをクリックすることにより、表示波形の時間軸上の位置を指示するライン２が表示される。このライン２には、任意の文字列を表示するための吹出しブロック３が組み合わせ一体化されている。続いて新規マークボタン４をクリックすると、吹出しブロック３に任意の文字列を入力するための図６のようなダイアログが表示される。このダイアログのマーク文字列入力部５に所望の文字列（例えば「停電」）を入力してＯＫボタン６をクリックすることにより、吹出しブロック３に文字列７として「停電」が表示される。
【０００４】
マークＭ１〜Ｍ３は、それぞれこのようにして所望の位置に指定入力されたものである。
【０００５】
なお、これら波形表示画面はグループタブ８でグループ管理できるように構成されていて、図５ではグループＧ１を選択表示している。
【０００６】
【発明が解決しようとする課題】
しかし、このような従来のマーク表示では、図５に示すように狭い範囲に複数のマークＭ１〜Ｍ３が集まると、吹出しブロックに書き込んでいる文字列表示が重なってしまうという問題がある。
【０００７】
これら吹出しブロックが重なった場合には、隠れている吹出しブロックにどのような文字列が書かれているのかを見ることはできない。
【０００８】
このような状況は、例えば図７に示すように表示波形の時間軸の倍率を拡大した状態（例えば×１）で各マークＭ１〜Ｍ３のラインの右側に文字列を書き込んで、図５に示すように倍率を圧縮して（例えば×1/5）表示した場合に発生する。
【０００９】
本発明は、このような問題点を解決するものであって、その目的は、狭い範囲に複数のマークを作成した場合の文字列の重なりを少なくし、文字列が重なった場合には文字列の重なり順序を変更できる波形表示装置を提供することにある。
【００１０】
【課題を解決するための手段】
上記課題を解決する本発明の請求項１の波形表示装置は、測定波形を表示する表示画面の表示波形の時間軸に沿った任意の位置に、時間軸上の位置を指示するラインと表示波形に関連した文字列とを組み合わせマークとして一体化して表示するように構成された波形表示装置において、前記マークの新規作成時または修正時に選択的に表示され、前記ラインに対する文字列の位置を選択設定するダイアログを設け、このダイアログには、このダイアログによる設定を有効にする表示波形のグループを選択する手段と、前記マークの文字列を入力する入力部と、前記ラインに対する前記マークの文字列の位置として、左・中央・右および隣接する文字列の間隔に応じて左・中央・右を自動的に選択する自動のいずれかを選択する手段と、これらダイアログの設定を前記表示画面の表示に反映させるように指示する手段、を設けたことを特徴とする。
【００１１】
請求項２は、請求項１に記載の波形表示装置において、前記ダイアログで自動を選択することにより、表示画面の時間軸の倍率変更に連動して文字列の位置を自動調整することを特徴とする。
【００１２】
請求項３の発明は、請求項１または請求項２記載の波形測定装置において、重なった文字列から所望の文字列を選択する手段と、選択した文字列の重なりの上下位置を指定する手段を設けたことを特徴とする。
【００１３】
これらにより、狭い範囲に複数のマークを作成した場合の文字列の重なりを少なくできるとともに、文字列が重なった場合には文字列の重なり順序を変更できる。
【００１８】
すなわち、左側に位置するマークＭ１の文字列を書き込む吹出しブロックはラインの左側に位置し、中央に位置するマークＭ２の文字列を書き込む吹出しブロックはラインの中央に位置し、右側に位置するマークＭ３の文字列を書き込む吹出しブロックはラインの右側に位置している。
【００１９】
これにより、図５のように隣接する各マークＭ１〜Ｍ３の文字列を書き込む吹出しブロックが重なり合うことはなく、各マークＭ１〜Ｍ３の文字列を明確に読み取ることができる。
【００２０】
これら各マークＭ１〜Ｍ３の文字列を書き込む吹出しブロックのラインに対する表示位置は、作成時または修正時に、図２のようなダイアログを用いて指定する。
【００２１】
図２のダイアログを説明する。図２のダイアログは、マークの新規作成時または修正時に選択的に表示される。
【００２２】
グループ選択ボタン９により、ダイアログによる設定を有効にしたいグループ範囲に応じていずれかを選択する。
【００２３】
表示位置選択ボタン１０により、各マーク毎に、隣接するマークの文字列の重なりが少なくなるように、文字列を書き込む吹出しブロックのラインに対する表示位置を、一覧リストの“左側”、“右側”、“中央”、“フラグ”、“自動”のどれかから１つを選択する。
【００２４】
ここで、“フラグ”を選択指定すると、吹出しブロックの代わりに目印としてのフラグパターンを表示する。
【００２５】
“自動”を選択指定すると、マーク表示時に隣接する文字列の重なりが最小になるように自動的に表示位置を変える。図１はマークの表示位置“自動”の表示例である。すなわち、図１の時間軸の倍率は1/5倍に圧縮されているので、すべての表示位置を“中央”にすると文字列表示が重なってしまう。そこで、３つのマークの文字列の表示位置を、それぞれ“右側”と“中央”と“左側”に自動設定して表示する。
【００２６】
これに対し、“自動”を選択指定した状態で時間軸の倍率を１倍に変更すると、３つのマークの文字列の表示位置をすべて“中央”にしても文字列表示が重なることはないので、図３のように“中央”に自動設定して表示する。これら各マークの文字列の表示位置の更新は、時間軸の倍率変更に連動して自動的に行う。
【００２７】
時間表示チェック部１１は、吹出しブロックに書き込む文字列とともにそのマークのラインが位置する時間軸上の時間データも併せて表示させたい場合に、選択的に指定するためのものである。
【００２８】
これら図２のダイアログに所定の事項を入力してＯＫボタン６をクリックすることにより、それらの設定が例えば図１のような各マークＭ１〜Ｍ３の表示に反映される。
【００２９】
なお、図３のようにマークの文字列表示が重なった場合の対策として、重なった文字列から所望の文字列を選択する手段と、選択した文字列の重なりの上下位置を指定する手段を設け、重なった文字列から所望の文字列を選択して最前面に表示させることもできる。
【００３０】
図４は、図３で表示されているマークＭ２の文字列をマウスカーソル１で選択し、最前面に表示されるように指示した状態を示している。これら選択した文字列の重なりの上下位置を指定にあたっては、例えば「Ctrlキー＋マウスクリック」で最前面に、「Shiftキー＋クリック」で最背面になるようにする。
【００３１】
これにより、下の方に隠れている文字列を、必要に応じて選択的に最前面に表示させることができる。
【００３２】
このような文字列の重なりの上下位置の制御は、単独で用いてもよいし、ラインに対する文字列の位置制御と組み合わせてもよい。
【００３３】
【発明の効果】
以上説明したように、本発明によれば、狭い範囲に複数のマークを作成した場合の文字列の重なりを少なくし、文字列が重なった場合には文字列の重なり順序を変更できる波形表示装置が実現でき、パソコンを用いた波形測定表示やデジタルオシロスコープなど各種の波形測定表示に有効である。
【図面の簡単な説明】
【図１】本発明に基づく波形表示画面例図である。
【図２】本発明で用いる文字列位置を指定するダイアログ例図である。
【図３】従来の波形表示画面例図である。
【図４】本発明に基づく他の波形表示画面例図である。
【図５】従来の波形表示画面例図である。
【図６】マーク作成に用いるダイアログ例図である。
【図７】従来の波形表示画面例図である。
【符号の説明】
１  マウスカーソル
２  マークライン
３  吹出しブロック
４  新規マークボタン
５  マーク文字列入力部
６  ＯＫボタン
７  文字列
８  グループタブ
９  グループ選択ボタン
１０  表示位置選択ボタン
１１  時間表示チェック部
【図１】
0004081808.tif 000002
【図２】
0004081808.tif 000003
【図３】
0004081808.tif 000004
【図４】
0004081808.tif 000005
【図５】
0004081808.tif 000006
【図６】
0004081808.tif 000007
【図７】
0004081808.tif 000008